(57)【要約】【課題】テレビ台における天板と底板と柱体とを、より合理的な構造をもって仮組でき、かつ、その後の本組を容易かつ確実に行えるようにする。【解決手段】天板１と柱体２と底板３とを有し下端にネジ部４０を備えたシャフト４を天板１に形成された穴部１０から柱体２内を通して底板３に形成された穴部３０にネジ付けることで天板１と柱体２と底板３とを本組してなる。柱体２には、その上端から上方に突き出すと共にシャフト４を通す上部パイプ部２０ｃと、その下端から下方に突き出すと共にシャフト４を通す下部パイプ部２０ｄとが備えられている。上部パイプ部２０ｃを天板１の下面側からその穴部１０に入れ込み、かつ、下部パイプ部２０ｄを底板３の上面側からその穴部３０に入れ込むことで天板１と柱体２と底板３とを仮組する。【選択図】図３
2008172417.tif 000002
【特許請求の範囲】
【請求項１】
天板と柱体と底板とを有し、少なくとも下端にネジ部を備えたシャフトを天板に形成された穴部から柱体内を通して底板に形成された穴部にネジ付けることで天板と柱体と底板とを本組してなるテレビ台であって、
柱体には、その上端から上方に突き出すと共にシャフトを通す上部パイプ部と、その下端から下方に突き出すと共にシャフトを通す下部パイプ部とが備えられており、
上部パイプ部を天板の下面側からその穴部に入れ込み、かつ、下部パイプ部を底板の上面側からその穴部に入れ込むことで天板と柱体と底板とを仮組するようにしてあることを特徴とするテレビ台。
【請求項２】
柱体が、筒状主体と、この筒状主体の筒上口の上部閉塞体及び筒下口の下部閉塞体を備えていると共に、
上部閉塞体に上部パイプ部が、下部閉塞体に下部パイプ部が形成されており、  さらに、下部閉塞体の上面部には、シャフトの通し穴を凹部底に備え凹部壁面をこの通し穴へのシャフトの傾斜案内面とした凹部が形成されていることを特徴とする請求項１記載のテレビ台。
【請求項３】
柱体が、金属製の筒状主体と、この筒状主体の筒上口及び筒下口からそれぞれパイプ端部を突き出すようにこの筒状主体の内面に固着されたシャフトの通しパイプとを備えており、
この通しパイプの突き出し箇所により柱体に上部パイプ部と下部パイプ部とが備えられていることを特徴とする請求項１記載のテレビ台。
【発明の詳細な説明】
【技術分野】
【０００１】
この発明は、底板上に立設された柱体によって天板を底板上に支え、この天板上にテレビを載置させるように用いられるテレビ台の改良に関する。
【背景技術】
【０００２】
テレビを載置させる天板を底板上に立設される柱体によって支持させるようにしたテレビ台が汎用されている。かかる底板の下面にはキャスターなどが必要に応じて備えられ、天板と底板との間には周辺機器の載置用の棚が必要に応じて設けられる。典型的には、テレビを構成するディスプレイ装置が、そのまま、あるいは、固定金具などを介して天板上に載置される。
【０００３】
こうしたテレビ台にあっては、天板と底板とを柱体を介してロングボルトによって締め付け本組してなるものがある。この場合、天板にロングボルトの通し穴が、底板にそのねじ穴が設けられると共に、柱体１００にロングボルトの通し部１０１が形成される。柱体１００の通し部１０１は、柱体１００を木製とする場合、典型的には、二つの柱構成体１０２、１０２の貼り合わせ面１０３に溝１０４を設け、これらを貼り合わせたときにこの溝１０４が通し部１０１となるようにして形成される。また、この場合、このように形成される柱体１００の端面１０５には位置決め用の突片１０６が備えられ、天板及び底板に形成させた位置決め用の穴にこの突片をはめ込むことで、天板と底板と柱体との仮組をなすようにしていた。（図９、図１０）
【発明の開示】
【発明が解決しようとする課題】
【０００４】
この発明が解決しようとする主たる問題点は、この種のテレビ台における天板と底板と柱体とを、より合理的な構造をもって仮組でき、かつ、その後の本組を容易かつ確実に行えるようにする点にある。
【課題を解決するための手段】
【０００５】
前記課題を達成するために、この発明にあっては、テレビ台を、以下の（１）〜（３）の構成を備えたものとした。
（１）天板と柱体と底板とを有し、少なくとも下端にネジ部を備えたシャフトを天板に形成された穴部から柱体内を通して底板に形成された穴部にネジ付けることで天板と柱体と底板とを本組してなるテレビ台であって、
（２）柱体には、その上端から上方に突き出すと共にシャフトを通す上部パイプ部と、その下端から下方に突き出すと共にシャフトを通す下部パイプ部とが備えられており、
（３）上部パイプ部を天板の下面側からその穴部に入れ込み、かつ、下部パイプ部を底板の上面側からその穴部に入れ込むことで天板と柱体と底板とを仮組するようにしてある。
【０００６】
かかる構成によれば、天板の穴部に柱体の上部パイプ部を入れ込み、かつ、底板の穴部に柱体の下部パイプ部を入れ込むことで、天板と柱体と底板とを安定的に仮組させることができ、この仮組状態から、天板の穴部と上部パイプ部と下部パイプ部とを通じて底板の穴部にネジ部を至らしめるようにこれらに通したシャフトのこのネジ部を底板の穴部にネジ付けることで、天板と柱体と底板とを強固に本組させることができる。上部パイプ部と下部パイプ部はシャフトの挿通及び案内機能と前記仮組の機能とを同時に発揮することから、シャフトの案内構造および仮組の構造をシャフトの挿通構造と別に別途備えさせる必要がない。
【０００７】
前記柱体を、筒状主体と、この筒状主体の筒上口の上部閉塞体及び筒下口の下部閉塞体を備えたものとすると共に、
上部閉塞体に上部パイプ部を、下部閉塞体に下部パイプ部を形成させ、
さらに、下部閉塞体の上面部に、シャフトの通し穴を凹部底に備え凹部壁面をこの通し穴へのシャフトの傾斜案内面とした凹部を形成させておくこともある。
【０００８】
このようにした場合、柱体に上部閉塞体および下部閉塞体を組み合わせることにより、上部パイプ部及び下部パイプ部を備えた柱体を形成させることができる。それと共に、柱体の中間にシャフトの案内構造を設けておかなくても、天板の穴部と上部パイプ部とを通じて柱体内に入れ込まれたシャフトを凹部の傾斜案内面によって下部閉塞体の通し穴に導き、底板の穴部に入り込ませることができる。
【０００９】
前記柱体を、金属製の筒状主体と、この筒状主体の筒上口及び筒下口からそれぞれパイプ端部を突き出すようにこの筒状主体の内面に固着されたシャフトの通しパイプとを備えたものとし、
この通しパイプの突き出し箇所により柱体に上部パイプ部と下部パイプ部とを備えさせるようにしておくこともある。
【００１０】
このようにした場合、柱体に通しパイプを固着・組み合わせることにより、上部パイプ部及び下部パイプ部を備えた柱体を形成させることができる。それと共に、天板の穴部と上部パイプ部とを通じて柱体内に入れ込まれたシャフトをこの通しパイプによって導き底板の穴部に入り込ませることができる。
【発明の効果】
【００１１】
この発明にかかるテレビ台にあっては、これを構成する天板と底板と柱体とを、シャフトの挿通及び案内機能とこれらの仮組の機能とを併せ持った柱体の上部パイプ部と下部パイプ部とにより仮組でき、その後の本組もこれらパイプ部を利用して容易かつ確実に行うことができる。
【発明を実施するための最良の形態】
【００１２】
以下、図１〜図８に基づいて、この発明を実施するための最良の形態について説明する。
【００１３】
なお、ここで図１〜図６は、この発明にかかる実施の形態の一つを、また、図７および図８は、この発明にかかる実施の形態の他の一つを、それぞれ示している。
【００１４】
具体的には、図１は本組されたテレビ台Ｔを、図２および図７はその構成各部材を分離させた状態で、図３および図８はその要部を断面にして、図４〜図６はその構成部材の一つである下部閉塞体２１’を、それぞれ示している。
【００１５】
この実施の形態にかかるテレビ台Ｔは、天板１と柱体２と底板３とを有し、底板３上に立設された柱体２によって天板１を底板３上に支え、この天板１上にテレビを構成するディスプレイ装置を載置させるように用いられるものである。
【００１６】
図示の例では、天板１と底板３はそれぞれ左右に長く構成されており、左右にそれぞれ備えられる柱体２によって天板１が支えられるようになっている。天板１と底板３との間には、かかる左右柱体２、２間に亘る棚板が必要に応じて備えられ、この棚板によってかかるテレビを構成するテレビチューナーやテレビの周辺機器などを載置するように用いられる。
【００１７】
かかる天板１と柱体２と底板３とは、少なくとも下端にネジ部４０を備えたシャフト４を、天板１に形成された穴部１０から柱体２内を通して底板３に形成された穴部３０にネジ付けることで本組されている。
【００１８】
図示の例ではかかるシャフト４として、円板状の頭部４１を備えると共に、下端部にネジ部４０を備えてなる、いわゆるロングボルトと称される金属製の長尺のボルトを用いている。
【００１９】
一つの柱体２には、二本のシャフト４が通されて、天板１と底板３間に締め付け固定される。
【００２０】
天板１に形成された穴部１０は中空で水平方向に巾を持ち垂直方向を厚さとした角筒状をなす天板１の板部をその肉厚方向に貫通するものであって、この天板１の上板部に形成されるシャフト４の径と略等しいかこれよりやや大きく且つ頭部４１を入り込ませない穴径の上部穴１０ａと、この天板１の下板部に形成される上部穴１０ａよりも穴径の大きい下部穴１０ｂとから構成されている。
【００２１】
一方、底板３に形成された穴部３０はこの底板３をその肉厚方向に貫通するものであって、上部穴３０ａと、この上部穴３０ａよりも穴径の大きい下部穴３０ｂとから構成され、両穴３０ａ、３０ｂ間には下方に向いた段差面３０ｃが形成されている。図示の例では、底板３は底板主体３１の上面に化粧板３２を重ねて構成されている。また、図示の例では、内側に雌ネジ部４０を有する筒状をなすと共に外側に周回抜け止め部３３ｂを多段状に備えたナット手段３３がかかる下部穴３０ｂを通じて上部穴３０ａ内にこの上部穴３０ａの穴口とナット手段３３の上端との間に後述する下部パイプ部２０ｄの入れ込み間隔を残すようにして下方からはめ込まれ、これにより底板３の穴部３０にシャフト４のネジ部４０に対する雌ネジ部４０を備えさせている。かかるナット手段３３としては、鬼目ナットやインサートナットを用いることができる。
【００２２】
柱体２は、筒上口２０ａおよび筒下口２０ｂを共に開放させた筒状主体２０を備えている。かかる筒状主体２０は、所望の横断面形状を備えるように、金属板を折り曲げることにより、あるいは、プラスチック成形によって、得ることができる。この実施の形態にあっては、図７および図８の例では後述するシャフト４の通しパイプ２２を筒状主体２０に溶着させる観点からかかる柱体２を特に金属によって構成させている。
【００２３】
また、かかる柱体２は、その上端から上方に突き出すと共にシャフト４を通す上部パイプ部２０ｃと、その下端から下方に突き出すと共にシャフト４を通す下部パイプ部２０ｄとを備えている。図示の例では、柱体２に、上部パイプ部２０ｃが二箇所、下部パイプ部２０ｄが二箇所形成されている。上部パイプ部２０ｃの軸線を通る鉛直線に対応する下部パイプ部２０ｄの軸線が位置されるようになっている。
【００２４】
そして、この実施の形態にあっては、上部パイプ部２０ｃを天板１の下面側からその穴部１０に入れ込み、かつ、下部パイプ部２０ｄを底板３の上面側からその穴部３０に入れ込むことで天板１と柱体２と底板３との仮組がなされるようになっている。
【００２５】
図示の例では、柱体２の上部パイプ部２０ｃが天板１の穴部１０の下部穴１０ｂに入れ込まれ、かつ、下部パイプ部２０ｄが底板３の穴部３０の上部穴３０ａに入れ込まれるようになっている。
【００２６】
これにより、この実施の形態にあっては、天板１の穴部１０に柱体２の上部パイプ部２０ｃを入れ込み、かつ、底板３の穴部３０に柱体２の下部パイプ部２０ｄを入れ込むことで、天板１と柱体２と底板３とを安定的に仮組させることができ、この仮組状態から、天板１の穴部１０と上部パイプ部２０ｃと下部パイプ部２０ｄとを通じて底板３の穴部３０にネジ部４０を至らしめるようにこれらに通したシャフト４のこのネジ部４０を底板３の穴部３０にネジ付けることで、天板１と柱体２と底板３とを強固に本組させることができる。上部パイプ部２０ｃと下部パイプ部２０ｄはシャフト４の挿通及び案内機能と前記仮組の機能とを同時に発揮することから、シャフト４の案内構造および仮組の構造をシャフト４の挿通構造と別に別途備えさせる必要がない。
【００２７】
図１〜図６に示される例にあっては、柱体２は、前記筒状主体２０と、この筒状主体２０の筒上口２０ａの上部閉塞体２１及び筒下口２０ｂの下部閉塞体２１’とから構成されている。
【００２８】
そして、かかる上部閉塞体２１に上部パイプ部２０ｃが、下部閉塞体２１’に下部パイプ部２０ｄが形成されている。それと共に、かかる下部閉塞体２１’の上面部に、シャフト４の通し穴２１ａを凹部底に備え凹部壁面をこの通し穴へのシャフト４の傾斜案内面２１ｃとした凹部２１ｂが形成されている。
【００２９】
図示の例では、かかる上部閉塞体２１の上面部と下部閉塞体２１’の下面部は略同一の構成とされ、かつ、上部閉塞体２１の下面部と下部閉塞体２１’の上面部は略同一の構成とされている。
【００３０】
両閉塞体２１、２１’共に、柱体２の内郭形状に倣ったはめ込み部２１ｄと、柱体２の外郭形状に倣った引っかかり部２１ｅとを備えている。両閉塞体２１、２１’共に、二箇所の通し穴２１ａ、２１ａをその上下方向に貫通状態に備えると共に、この通し穴２１ａに連通する上部パイプ部２０ｃ又は下部パイプ部２０ｄが引っかかり部２１ｅの面部に（上部閉塞体２１では上面部、下部閉塞体２１’では下面部）この面部から突き出すように備えられている。また、両閉塞体２１、２１’共に、はめ込み部２１ｄの面部に、前記凹部２１ｂをすりばち状に備えている。
【００３１】
これにより、この例にあっては、柱体２に上部閉塞体２１および下部閉塞体２１’を組み合わせることにより、上部パイプ部２０ｃ及び下部パイプ部２０ｄを備えた柱体２を形成させることができる。それと共に、柱体２の中間にシャフト４の案内構造を設けておかなくても、天板１の穴部１０と上部パイプ部２０ｃとを通じて柱体２内に入れ込まれたシャフト４を凹部２１ｂの傾斜案内面２１ｃによって下部閉塞体２１’の通し穴２１ａに導き、底板３の穴部３０に入り込ませることができる。
【００３２】
図７及び図８に示される例にあっては、柱体２は、金属製の筒状主体２０と、この筒状主体２０の筒上口２０ａ及び筒下口２０ｂからそれぞれパイプ端部を突き出すようにこの筒状主体２０の内面に溶着により固着されたシャフト４の通しパイプ２２とから構成されている。
【００３３】
そして、この例では、かかる通しパイプ２２の突き出し箇所が、柱体２の上部パイプ部２０ｃと下部パイプ部２０ｄとして機能するようになっている。
【００３４】
この例にあっては、柱体２に通しパイプ２２を固着・組み合わせることにより、上部パイプ部２０ｃ及び下部パイプ部２０ｄを備えた柱体２を形成させることができる。それと共に、天板１の穴部と上部パイプ部２０ｃとを通じて柱体２内に入れ込まれたシャフト４をこの通しパイプ２２によって導き底板３の穴部３０に入り込ませることができる。
【図面の簡単な説明】
【００３５】
【図１】テレビ台Ｔの斜視構成図
【図２】同分解斜視構成図
【図３】同要部断面構成図
【図４】下部閉塞体２１’の斜視図
【図５】下部閉塞体２１’の斜視図
【図６】同断面構成図
【図７】他の例にかかるテレビ台Ｔの斜視構成図
【図８】同分解斜視構成図
【図９】従来のテレビ台を構成する柱体１００の分離斜視構成図
【図１０】従来のテレビ台を構成する柱体１００の斜視構成図
【符号の説明】
【００３６】
Ｔ  テレビ台
１  天板
１０  穴部
２  柱体
２０ｃ  上部パイプ部
２０ｄ  下部パイプ部
３  底板
３０  穴部
４  シャフト
【図１】
2008172417.tif 000003
【図２】
2008172417.tif 000004
【図３】
2008172417.tif 000005
【図４】
2008172417.tif 000006
【図５】
2008172417.tif 000007
【図６】
2008172417.tif 000008
【図７】
2008172417.tif 000009
【図８】
2008172417.tif 000010
【図９】
2008172417.tif 000011
【図１０】
2008172417.tif 000012